(57)【要約】【課題】塵埃分離集塵ユニット室から塵埃分離集塵ユニットを容易に取り出すことが可能であり、かつ、掃除機本体に形成された接続管に塵埃分離集塵ユニットを確実に連通可能な電気掃除機を提案する。【解決手段】掃除機本体２に形成された接続管組立１６は、接続口２ａを一端として形成され、塵埃分離集塵ユニット室１２側へ突出した集塵ホース接続管部２６と、集塵ホース接続管部２６の外周に設けられ、掃除機本体２の前後方向へ摺動可能な摺動管部２７と、塵埃分離集塵ユニット１１の吸込接続管１４の前縁部１４ａと摺動管部２７との間を封止する封止部材２８とから構成される。【選択図】  図４
2009125210.tif 000002
【特許請求の範囲】
【請求項１】
掃除機本体に形成された接続口と、
前記掃除機本体に着脱可能な塵埃分離集塵ユニットと、
前記接続口と前記塵埃分離集塵ユニットとを連通させる接続管組立を有し、
前記接続管組立は、内管と摺動可能な外管とを有し、
前記塵埃分離集塵ユニットが前記掃除機本体に収容されると、前記接続管組立の外管が摺動させられて前記塵埃分離集塵ユニットの吸込接続口部に連通されることを特徴とする電気掃除機。
【請求項２】
前記掃除機本体に設けられた前記塵埃分離集塵ユニットを収容する塵埃分離集塵ユニット室の蓋体が閉じられると、前記接続管組立の外管が摺動させられて前記塵埃分離集塵ユニットの吸込接続口部に連通されることを特徴とする請求項１に記載の電気掃除機。
【請求項３】
前記接続管組立の外管が前記塵埃分離集塵ユニットから離れる方向に付勢する弾性体が設けられたことを特徴とする請求項１または２に記載の電気掃除機。
【発明の詳細な説明】
【技術分野】
【０００１】
本発明は、掃除機本体内に設けられた吸込風路の途中に、塵埃と空気とを分離する塵埃分離集塵ユニットが設けられた電気掃除機に関する。
【背景技術】
【０００２】
従来から集塵容器を有する塵埃分離集塵ユニットが、掃除機本体に着脱自在に設けられた電気掃除機が知られている。
【０００３】
この従来の電気掃除機は、塵埃分離集塵ユニット室が内部に形成された掃除機本体と、この塵埃分離集塵ユニット室に着脱自在に装着される塵埃分離集塵ユニット等を備える。
【０００４】
塵埃分離集塵ユニットが塵埃分離集塵ユニット室に装着されると、塵埃分離集塵ユニットに形成された吸込接続管は掃除機本体に形成された接続管と連通される。
【０００５】
また、従来の電気掃除機は、床面等から塵埃を吸引する吸込開口が形成された吸込口体と、この吸込口体に一端が着脱自在に接続された延長管と、この延長管の他端に着脱自在に接続された手元操作管と、この手元操作管の他端に設けられた集塵ホースとを備える。この集塵ホースの他端は、掃除機本体に形成された接続管に接続され、吸込口体と延長管と手元操作管とを掃除機本体に連通させる。
【０００６】
図８は、従来の電気掃除機の塵埃分離集塵ユニットの吸込接続管と掃除機本体の接続管との接続部に形成された開口の一例を示す部分的な縦断面図である。
【０００７】
図８に示すように、従来の電気掃除機４０の掃除機本体２を構成する本体ケース１０には、塵埃分離集塵ユニット１１を着脱可能に収容する塵埃分離集塵ユニット室１２が形成される。また、本体ケース１０に形成された接続管１３の開口１３ａは、上方に向かうにつれて前方側に傾けられて形成される。他方、塵埃分離集塵ユニット１１の吸込接続管１４の前縁部１４ａは、開口１３ａの傾斜に対応させて、上方に向かうにつれて前方に傾けられて形成される。
【０００８】
塵埃分離集塵ユニット１１と塵埃分離集塵ユニット室１２とは寸法公差、幾何公差といった公差を有する。したがって、塵埃分離集塵ユニット１１を塵埃分離集塵ユニット室１２に装着すると、接続管１３の開口１３ａと吸込接続管１４の前縁部１４ａとが確実に連通されずに隙間が生じ、この隙間から外気を吸い込む恐れがある。従来の電気掃除機４０では、接続管１３の開口１３ａと吸込接続管１４の前縁部１４ａとを傾斜させて形成させて、開口１３ａと前縁部１４ａとの間にゴムやシリコンなどの弾力性のある封止部材１５を挟持させて押圧させることによって、塵埃分離集塵ユニット１１の吸込接続管１４と掃除機本体２の接続管１３との軸心が一致しない場合であっても、塵埃分離集塵ユニット１１を装着する際の各管の連通の確実性が保たれていた（特許文献１）。
【０００９】
また、吸込接続管１４の前縁部１４ａと、接続管１３の開口１３ａとを各管の長手軸に略直交させて形成させる場合には、開口１３ａと前縁部１４ａとの間にゴムやシリコンなどの弾力性のある封止部材を挟持して接続部に隙間が生じないように構成されていた。
【特許文献１】特開２００７−２１６０５５号公報
【発明の開示】
【発明が解決しようとする課題】
【００１０】
塵埃分離集塵ユニット１１に塵埃が溜められて電気掃除機の吸込性能が低下してくると、塵埃分離集塵ユニット室１２から塵埃分離集塵ユニット１１を取り出して、塵埃分離集塵ユニット１１に溜められた塵埃を廃棄する必要がある。
【００１１】
従来の電気掃除機４０では、塵埃分離集塵ユニット１１の吸込接続管１４の前縁部１４ａと、掃除機本体２の接続管１３の開口１３ａとの間には弾力性のある封止部材１５が挟持され、押圧されているため、塵埃分離集塵ユニット室１２から塵埃分離集塵ユニット１１を取り出す際に、取り外しにくくなったり、取り外しに大きな力を必要とする。
【００１２】
本発明は、上述の課題を解決するためになされたもので、塵埃分離集塵ユニット室１２から塵埃分離集塵ユニット１１を容易に取り出すことが可能であり、かつ、掃除機本体２に形成された接続管１３に塵埃分離集塵ユニット１１を確実に連通可能な電気掃除機を提案する。
【課題を解決するための手段】
【００１３】
前記の課題を解決するため本発明では、掃除機本体に形成された接続口と前記掃除機本体に着脱可能な塵埃分離集塵ユニットと、前記接続口と前記塵埃分離集塵ユニットとを連通させる接続管を備えた電気掃除機において、前記接続管は、内管と外管とを有し、伸縮可能に形成され、前記塵埃分離集塵ユニットが前記掃除機本体に収容されると、前記接続管が伸ばされて前記塵埃分離集塵ユニットの吸込接続管に連通されることを特徴とする。
【発明の効果】
【００１４】
本発明によれば、塵埃分離集塵ユニット室から塵埃分離集塵ユニットを容易に取り出すことが可能であり、かつ、掃除機本体に形成された接続管に塵埃分離集塵ユニットを確実に連通可能な電気掃除機を提供することができる。
【発明を実施するための最良の形態】
【００１５】
本発明に係る電気掃除機の実施形態について、添付図面を参照して説明する。
【００１６】
［第１の実施形態］
本発明に係る電気掃除機の第１実施形態について、図１から図５を参照して説明する。
【００１７】
図１は、本発明の第１実施形態に係る電気掃除機の外観を示した斜視図である。
【００１８】
図１に示すように、第１実施形態に係る電気掃除機１は、掃除機本体２と、掃除機本体２に設けられた接続口２ａに一端が着脱白在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００１９】
なお、説明を容易にするために以下、図１に示す姿勢を基本姿勢とし、掃除機本体２に集塵ホース３が接続された側を前部、これに対向する側を後部とし、さらに後部から前部を見た状態で上下および左右の方向説明を行う。
【００２０】
掃除機本体２は、本体ケース１０と、本体ケース１０の前面に形成された接続口２ａを一端とする接続管組立１６と、本体ケース１０の上部面を覆い、開閉自在に設けられた蓋体１８と、本体ケース１０の下部面に設けられた前輪（図示省略）と、本体ケース１０の左右面に設けられた車軸に回動可能に装着された後輪１９とを備える。
【００２１】
蓋体１８の後部は本体ケース１０にヒンジ結合され、このヒンジ結合部を中心に揺動することで蓋体１８は上下方向に開閉可能に設けられる。
【００２２】
手元操作管４には操作部４ａが設けられ、操作部４ａには掃除機本体２に収容された電動送風機の駆動を停止する切スイッチ４ｂや電動送風機の送風力を設定する強弱スイッチ４ｃなどが設けられる。
【００２３】
吸込口体６には、下面に塵埃を吸引する吸込開口（塵埃吸込口、図示省略）が形成され、吸込口体６内部に形成された吸込室（図示省略）に連通される。この吸込室は延長管５と手元操作管４と集塵ホース３とを介して接続口２ａから掃除機本体２内へ連通される。
【００２４】
図２は、本発明の第１実施形態に係る電気掃除機の蓋体と塵埃分離集塵ユニットとを外した掃除機本体の外観を示した斜視図である。
【００２５】
図２に示すように、掃除機本体２の本体ケース１０の前方側には、上部開口１２ａを有する塵埃分離集塵ユニット室１２が形成される。塵埃分離集塵ユニット室１２は、本体ケース１０の前面に形成された接続口２ａに接続管組立１６を介して連通される。また、塵埃分離集塵ユニット室１２には、塵埃分離集塵ユニット１１が着脱可能に収容される。塵埃分離集塵ユニット室１２の後面壁には、開口２０ａを有する接続風路部２０が形成される。接続風路部２０は電動送風機（図示省略）の吸込開口に連通される。
【００２６】
図３は、本発明の第１実施形態に係る電気掃除機の掃除機本体に収容される塵埃分離集塵ユニットの外観を示した斜視図である。
【００２７】
図３に示すように、塵埃分離集塵ユニット１１は、本体ケース１０の塵埃分離集塵ユニット室１２に収容されると、本体ケース１０に形成された接続管組立１６に連通される吸込接続管１４と、本体ケース１０に収容された電動送風機に連通された接続風路部２０に連通される後面開口１１ａとが形成される。
【００２８】
塵埃分離集塵ユニット１１が塵埃分離集塵ユニット室１２に装着されると、塵埃分離集塵ユニット１１の後面開口１１ａが塵埃分離集塵ユニット室１２の接続風路部２０の開口２０ａに連通される。
【００２９】
塵埃分離集塵ユニット１１には、吸込口体６から吸い込まれる塵埃を含んだ空気が延長管５と手元操作管４と集塵ホース３と掃除機本体２の接続管組立１６とを介して案内される吸込接続管１４を有し、吸込接続管１４は前縁部（吸込接続口部）１４ａが形成される。この塵埃分離集塵ユニット１１に案内された塵埃を含んだ空気は、塵埃分離集塵ユニット１１内で塵埃と空気とに分離される。分離された塵埃は、塵埃分離集塵ユニット１１に形成された集塵室部２３に溜められ、空気は後面開口１１ａから接続風路部２０を介して電動送風機に吸い込まれる。また、塵埃分離集塵ユニット１１は、集塵室部２３で集塵できない細塵を濾過するフィルタ体（図示省略）が設けられる。
【００３０】
なお、塵埃分離集塵ユニット室１２から塵埃分離集塵ユニット１１を取り外すと、蓋体１８が塵埃分離集塵ユニット１１とともに掃除機本体２から取り外されるよう、蓋体１８が塵埃分離集塵ユニット１１の上面に設けられた構成にすることもできる。
【００３１】
図４は、本発明の第１実施形態に係る電気掃除機の掃除機本体に形成された接続管の構成を示した部分的な縦断面図である。
【００３２】
図４に示すように、掃除機本体２に形成された接続管組立１６は、接続口２ａを一端として本体ケース１０の前面壁に一体的に形成され、塵埃分離集塵ユニット室１２側へ突出した集塵ホース接続管部２６と、集塵ホース接続管部２６の外周に設けられ、掃除機本体２の前後方向へ摺動可能な摺動管部２７と、摺動管部２７の塵埃分離集塵ユニット室１２側の端部の開口２７ａに設けられ、塵埃分離集塵ユニット１１の吸込接続管１４の前縁部１４ａと摺動管部２７との間を封止する封止部材２８とから構成される。
【００３３】
集塵ホース接続管部２６は、本体ケース１０に形成された接続口２ａを一方の開口端とし、他方の開口端が摺動管部２７の管内に設けられる。すなわち、集塵ホース接続管部２６と摺動管部２７とは、集塵ホース接続管部２６を内管とし、摺動管部２７を外管として多重管状に形成され、集塵ホース接続管部２６に対して摺動管部２７が摺動することで、伸縮可能に構成されている。この摺動による伸縮量は、少なくとも塵埃分離集塵ユニット１１に形成された吸込接続管１４の前縁部１４ａから封止部材２８を引き離して隙間を生じさせるものである。また、塵埃分離集塵ユニット１１の前面にリブなどの突起が形成されている場合には、塵埃分離集塵ユニット１１を塵埃分離集塵ユニット室１２から取り出すときに障害とならない距離を確保することが望ましい。集塵ホース接続管部２６と摺動管部２７との間には、封止部材３０が挟持される。封止部材３０は、摺動管部２７の内面に保持され、摺動管部２７が摺動する際は摺動管部２７とともに移動する。
【００３４】
摺動管部２７の外周部であって上部側前縁部には、掃除機本体２の後方に向かって管の長手方向軸に略垂直な壁面２７ｂと、掃除機本体２の前方側へ向かって下方に傾斜する傾斜面２７ｃとが形成されたテーパ部２７ｄが一体的に形成される。
【００３５】
テーパ部２７ｄの壁面２７ｂは、本体ケース１０の前面壁から掃除機本体２の後方に向かって突出して形成され、断面「状に形成された摺動管部付勢部３１の前面３１ａと対向し、壁面２７ｂと前面３１ａとの間にはバネやゴムなどの弾性体３２が挟持される。弾性体３２は、テーパ部２７ｄの壁面２７ｂを介して掃除機本体２の前方へ向かって摺動管部２７を付勢している。
【００３６】
本体ケース１０の上部面を覆う蓋体１８の前縁部には、掃除機本体２の下方に向かって摺動管部押圧部１８ａが突出して形成される。摺動管部押圧部１８ａの下端部は摺動管部２７に形成されたテーパ部２７ｄの傾斜面２７ｃに対応させてテーパ状に形成される。蓋体１８によって本体ケース１０の上部開口１２ａが閉じられると、摺動管部押圧部１８ａの下端部は、摺動管部２７のテーパ部２７ｄの傾斜面２７ｃを押圧し、弾性体３２により付勢された力に抗して掃除機本体２の後方側へ摺動管部２７を摺動させる。そうすると、接続管１１Ａは伸ばされて、摺動管部２７は塵埃分離集塵ユニット１１に近づく。
【００３７】
封止部材２８は、蓋体１８が閉じられ、摺動管部２７が掃除機本体２の後方側へ摺動されて塵埃分離集塵ユニット１１へ近づくと、摺動管部２７の後方側開口端と塵埃分離集塵ユニット１１に形成された吸込接続管１４の前縁部１４ａとの間に押圧されて変形し、摺動管部２７の開口２７ａと塵埃分離集塵ユニット１１に形成された吸込接続管１４の前縁部１４ａとの間は封止される。
【００３８】
次に、電気掃除機１の動作について説明する。
【００３９】
先ず、図１に示すように、集塵ホース３が掃除機本体２の接続口２ａに接続されるとともに吸込口体６が延長管５を介して手元操作管４に接続される。
【００４０】
次に、図２に示すように、掃除機本体２に備えられた本体ケース１０に形成された塵埃分離集塵ユニット室１２に、塵埃分離集塵ユニット１１が装着される。そうすると、塵埃分離集塵ユニット１１の後面開口１１ａが塵埃分離集塵ユニット室１２の接続風路部２０の開口２０ａに連通される。他方、塵埃分離集塵ユニット１１の前方側に設けられた吸込接続管１４は、掃除機本体２の接続口２ａに連通された摺動管部２７の開口２７ａに対向する。
【００４１】
次に、蓋体１８が閉じられる。そうすると、図４に示すように、蓋体１８の前縁部に形成された摺動管部押圧部１８ａによって摺動管部２７のテーパ部２７ｄの傾斜面２７ｃが押圧され、摺動管部２７は集塵ホース接続管部２６に沿って塵埃分離集塵ユニット１１側へ摺動される。
【００４２】
摺動管部２７が摺動されて塵埃分離集塵ユニット１１へ近づけられると、摺動管部２７の開口２７ａに設けられた封止部材２８は、塵埃分離集塵ユニット１１に形成された吸込接続管１４の前縁部１４ａに当接し、さらに押圧されて変形し、摺動管部２７の開口２７ａと塵埃分離集塵ユニット１１に形成された吸込接続管１４の前縁部１４ａとの間が封止される。摺動管部２７は、テーパ部２７ｄの壁面２７ｂを介して弾性体３２によって掃除機本体２の前方へ向かって付勢され、テーパ部２７ｄを介して蓋体１８の前縁部に形成された摺動管部押圧部１８ａによって拘束される。
【００４３】
すなわち、塵埃分離集塵ユニット室１２に塵埃分離集塵ユニット１１を装着して、塵埃分離集塵ユニット室１２を覆う蓋体１８を閉じる一連の動作によって掃除機本体２の接続口２ａから塵埃分離集塵ユニット１１までの風路が連通される。したがって、塵埃分離集塵ユニット室１２に塵埃分離集塵ユニット１１を装着する際は、従来の電気掃除機４０のように封止部材１５を変形させる力を必要とすることなく容易に装着できる。また、塵埃分離集塵ユニット１１の装着後は、掃除機本体２の蓋体１８を閉じることで掃除機本体２の接続口２ａから塵埃分離集塵ユニット１１までの風路を確実に連通し、接続管組立１６を構成する各部材間で隙間を生じることもない。
【００４４】
さらに、商用電源を供給するコンセント（図示省略）に掃除機本体２の電源プラグ（図示省略）を接続する。
【００４５】
次に、手元操作管４の操作部４ａの強弱スイッチ４ｃが操作されると、電動送風機が駆動される。電動送風機の駆動により、電動送風機の吸込開口２４Ａから空気が吸い込まれて、接続風路部２０を介して塵埃分離集塵ユニット１１内に負圧が作用する。この負圧が塵埃分離集塵ユニット１１の吸込接続管１４から摺動管部２７と集塵ホース接続管部２６とを介して集塵ホース３、延長管５および吸込口体６に作用し、吸込口体６から空気とともに塵埃が吸引される。
【００４６】
吸込口体６に形成された吸込室の底面に形成された吸込開口から吸引された塵埃および空気は、吸込口体６と延長管５と集塵ホース３とを介して掃除機本体２へ吸引される。掃除機本体２では、接続口２ａから集塵ホース接続管部２６と摺動管部２７とを介して吸込接続管１４から塵埃分離集塵ユニット１１に塵埃および空気が吸引される。塵埃分離集塵ユニット１１へ吸引された塵埃および空気は分離される。分離された空気は、接続風路部２０を介して吸込開口から電動送風機に吸引される。他方、分離された塵埃は、集塵室部２３へ溜められる。
【００４７】
手元操作管４の操作部４ａの切スイッチ４ｂが操作されると、電動送風機が停止される。
【００４８】
塵埃分離集塵ユニット１１の集塵室部２３に塵埃が溜まり、またはフィルタ体に細塵が溜まって電気掃除機１の吸引力が弱まると塵埃分離集塵ユニット１１を清掃する必要が生じる。
【００４９】
図５は、本発明の第１実施形態に係る電気掃除機の掃除機本体に形成された接続管の構成を示した部分的な縦断面図であり、蓋体が開いた状態を説明する図である。
【００５０】
図５に示すように、蓋体１８を上方に揺動させると塵埃分離集塵ユニット室１２が開かれる。そうすると、摺動管部２７は、蓋体１８の前縁部に形成された摺動管部押圧部１８ａによってテーパ部２７ｄの傾斜面２７ｃを介して掃除機本体２の後方へ向かう拘束力を失い、テーパ部２７ｄの壁面２７ｂを介して弾性体３２によって付勢されて掃除機本体２の前方へ向かって摺動させられる。すなわち、接続管組立１６は縮められて短くなる。
【００５１】
摺動管部２７が摺動させられて塵埃分離集塵ユニット１１から離れると、摺動管部２７の開口２７ａに設けられた封止部材２８は、塵埃分離集塵ユニット１１に形成された吸込接続管１４の前縁部１４ａから離れ、摺動管部２７の後方側開口と塵埃分離集塵ユニット１１に形成された吸込接続管１４の前縁部１４ａとの間には隙間が形成される。
【００５２】
塵埃分離集塵ユニット室１２に収容された塵埃分離集塵ユニット１１は、吸込接続管１４の前縁部１４ａから摺動管部２７によって印加されていた拘束力を失い、塵埃分離集塵ユニット室１２内において前後方向に移動可能な隙間（空間）が確保されることとなり、容易に取り外しできる。
【００５３】
次に、塵埃分離集塵ユニット室１２から取り外した塵埃分離集塵ユニット１１を清掃する。
【００５４】
本実施形態における電気掃除機１によれば、塵埃分離集塵ユニット１１に塵埃が溜められて電気掃除機１の吸込性能が低下し、塵埃分離集塵ユニット室１２から塵埃分離集塵ユニット１１を取り出して、集塵室部２３やフィルタ体に溜められた塵埃を廃棄する際に、従来の電気掃除機４０のように、塵埃分離集塵ユニット１１の吸込接続管１４の前縁部１４ａと、掃除機本体２の接続管１３の開口１３ａとの間に挟持される封止部材１５に相当する封止部材２８が蓋体１８を開く動作によって吸込接続管１４の前縁部１４ａから離されるため、塵埃分離集塵ユニット１１を取り外しにくくなったり、取り外しに大きな力を必要としない。
【００５５】
本実施形態における電気掃除機１によれば、塵埃分離集塵ユニット室１２から塵埃分離集塵ユニット１１を容易に取り出すことが可能であり、かつ、掃除機本体２に形成された接続管組立１６に塵埃分離集塵ユニット１１を確実に連通できる。
【００５６】
［第２の実施形態］
本発明に係る電気掃除機の第２実施形態について、図６から図７を参照して説明する。
【００５７】
図６は、本発明の第２実施形態に係る電気掃除機の掃除機本体に形成された接続管の構成を示した部分的な縦断面図である。
【００５８】
この電気掃除機１Ａにおいて第１実施形態の電気掃除機１と同じ構成には同一の符号を付し、重複する説明は省略する。
【００５９】
図４に示すように、電気掃除機１Ａの掃除機本体２に形成された接続管組立１６Ａは、接続口２ａを一端として本体ケース１０の前面壁に一体的に形成され、塵埃分離集塵ユニット室１２側へ突出した集塵ホース接続管部２６と、集塵ホース接続管部２６の外周に設けられ、掃除機本体２の前後方向へ摺動可能な摺動管部２７Ａと、摺動管部２７Ａの塵埃分離集塵ユニット室１２側の端部の開口２７ａに設けられ、塵埃分離集塵ユニットの吸込接続管１４の前縁部１４ａと摺動管部２７Ａとの間を封止する封止部材２８とから構成される。
【００６０】
集塵ホース接続管部２６は、本体ケース１０に形成された接続口２ａを一方の開口端とし、他方の開口端が摺動管部２７Ａの管内に設けられる。すなわち、集塵ホース接続管部２６と摺動管部２７Ａとは、集塵ホース接続管部２６を内管とし、摺動管部２７Ａを外管として多重管状に形成され、集塵ホース接続管部２６に対して摺動管部２７Ａが摺動することで、伸縮可能に構成されている。この摺動による伸縮量は、少なくとも塵埃分離集塵ユニット１１に形成された吸込接続管１４の前縁部１４ａから封止部材２８を引き離して隙間を生じさせるものである。また、塵埃分離集塵ユニット１１の前面に形成された突起等について塵埃分離集塵ユニット１１を塵埃分離集塵ユニット室１２から取り出すときに障害とならない距離を確保することが望ましい。集塵ホース接続管部２６と摺動管部２７Ａとの間には、封止部材３０が挟持される。封止部材３０は、摺動管部２７Ａの内面に保持され、摺動管部２７Ａが摺動する際は摺動管部２７Ａとともに移動する。
【００６１】
摺動管部２７Ａの外周部であって上部側前縁部には、掃除機本体２の前方側へ向かって下方に傾斜する傾斜面２７ｃが形成されたテーパ部２７ｄが一体的に形成される。また、テーパ部２７ｄの前方側には鍔状の突起部２７ｅが形成される。テーパ部２７ｄの傾斜面２７ｃと突起部２７ｅの後面２７ｆとの間はテーパ状の凹部を構成している。
【００６２】
本体ケース１０の上部面を覆う蓋体１８Ａの前縁部には、掃除機本体２の下方に向かって摺動管部押圧部１８ｂが突出して形成される。摺動管部押圧部１８ｂの下端部は摺動管部２７Ａに形成されたテーパ部２７ｄの傾斜面２７ｃに対応させてテーパ状に形成される。また、摺動管部押圧部１８ｂのテーパ状に形成された先端には、掃除機本体の前下方へ向かう鍔状の凸部１８ｃが突出して形成される。蓋体１８Ａによって本体ケース１０の上部開口１２ａが閉じられると、摺動管部押圧部１８ｂの下端部は、摺動管部２７Ａのテーパ部２７ｄの傾斜面２７ｃを押圧して掃除機本体２の後方側へ摺動管部２７Ａを摺動させる。そうすると、接続管組立１６Ａは伸ばされて、摺動管部２７Ａは塵埃分離集塵ユニット１１に近づく。また、摺動管部押圧部１８ｂに形成された凸部１８ｃは、摺動管部２７Ａに形成されたテーパ部２７ｄの傾斜面２７ｃと突起部２７ｅの後面２７ｆとの間に形成された凹部に挿入される。
【００６３】
蓋体１８Ａによって本体ケース１０の上部開口１２ａが開かれると、摺動管部押圧部１８ｂに形成された凸部１８ｃの前面１８ｄは、摺動管部２７Ａに形成された突起部２７ｅの後面２７ｆを掃除機本体２の前方へ向かって押圧して掃除機本体２の前方側へ摺動管部２７Ａを摺動させる。そうすると、摺動管部２７Ａは塵埃分離集塵ユニット１１から離れる。
【００６４】
封止部材２８は、蓋体１８Ａが閉じられ、摺動管部２７Ａが掃除機本体２の後方側へ摺動されて塵埃分離集塵ユニット１１へ近づくと、摺動管部２７Ａの後方側開口端と塵埃分離集塵ユニット１１に形成された吸込接続管１４の前縁部１４ａとの間に押圧されて変形し、摺動管部２７Ａの開口２７ａと塵埃分離集塵ユニット１１に形成された吸込接続管１４の前縁部１４ａとの間は封止される。
【００６５】
次に、電気掃除機１Ａの動作について説明する。
【００６６】
先ず、図１に示すように、集塵ホース３が掃除機本体２の接続口２ａに接続されるとともに吸込口体６が延長管５を介して手元操作管４に接続される。
【００６７】
次に、図２に示すように、掃除機本体２に備えられた本体ケース１０に形成された塵埃分離集塵ユニット室１２に、塵埃分離集塵ユニット１１が装着される。そうすると、塵埃分離集塵ユニット１１の後面開口１１ａが塵埃分離集塵ユニット室１２の接続風路部２０の開口２０ａに連通される。他方、塵埃分離集塵ユニット１１の前方側に設けられた吸込接続管１４は、掃除機本体２の接続口２ａに連通された摺動管部２７の開口２７ａに対向する。
【００６８】
次に、蓋体１８Ａが閉じられる。そうすると、図４に示すように、蓋体１８の前縁部に形成された摺動管部押圧部１８ｂによって摺動管部２７のテーパ部２７ｄの傾斜面２７ｃが押圧され、摺動管部２７Ａは集塵ホース接続管部２６に沿って塵埃分離集塵ユニット１１側へ摺動される。
【００６９】
摺動管部２７Ａが摺動されて塵埃分離集塵ユニット１１へ近づけられると、摺動管部２７の開口２７ａに設けられた封止部材２８は、塵埃分離集塵ユニット１１に形成された吸込接続管１４の前縁部１４ａに当接し、さらに押圧されて変形し、摺動管部２７の開口２７ａと塵埃分離集塵ユニット１１に形成された吸込接続管１４の前縁部１４ａとの間が封止される。摺動管部２７Ａは、テーパ部２７ｄの傾斜面２７ｃと突起部２７ｅの後面２７ｆによって形成される凹部に挿入された蓋体１８Ａの摺動管部押圧部１８ｂに形成された凸部１８ｃによって拘束される。
【００７０】
すなわち、塵埃分離集塵ユニット室１２に塵埃分離集塵ユニット１１を装着して、塵埃分離集塵ユニット室１２を覆う蓋体１８Ａを閉じる一連の動作によって掃除機本体２の接続口２ａから塵埃分離集塵ユニット１１までの風路が連通される。したがって、塵埃分離集塵ユニット室１２に塵埃分離集塵ユニット１１を装着する際は、従来の電気掃除機４０のように封止部材１５を変形させる力を必要とすることなく容易に装着できる。また、塵埃分離集塵ユニット１１の装着後は、掃除機本体２の蓋体１８Ａを閉じることで掃除機本体２の接続口２ａから塵埃分離集塵ユニット１１までの風路を確実に連通し、接続管組立１６Ａを構成する各部材間で隙間を生じることもない。
【００７１】
さらに、商用電源を供給するコンセント（図示省略）に掃除機本体２の電源プラグ（図示省略）を接続する。
【００７２】
次に、手元操作管４の操作部４ａの強弱スイッチ４ｃが操作されると、電動送風機が駆動される。電動送風機の駆動により、電動送風機の吸込開口２４Ａから空気が吸い込まれて、接続風路部２０を介して塵埃分離集塵ユニット１１内に負圧が作用する。この負圧が塵埃分離集塵ユニット１１の吸込接続管１４から摺動管部２７と集塵ホース接続管部２６とを介して集塵ホース３、延長管５および吸込口体６に作用し、吸込口体６から空気とともに塵埃が吸引される。
【００７３】
吸込口体６に形成された吸込室の底面に形成された吸込開口から吸引された塵埃および空気は、吸込口体６と延長管５と集塵ホース３とを介して掃除機本体２へ吸引される。掃除機本体２では、接続口２ａから集塵ホース接続管部２６と摺動管部２７Ａとを介して吸込接続管１４から塵埃分離集塵ユニット１１に塵埃および空気が吸引される。塵埃分離集塵ユニット１１へ吸引された塵埃および空気は分離される。分離された空気は、接続風路部２０を介して吸込開口２４Ａから電動送風機に吸引される。他方、分離された塵埃は、集塵室部２３へ溜められる。
【００７４】
手元操作管４の操作部４ａの切スイッチ４ｂが操作されると、電動送風機が停止される。
【００７５】
塵埃分離集塵ユニット１１の集塵室部２３に塵埃が溜まり、またはフィルタ体に細塵が溜まって電気掃除機１の吸引力が弱まると塵埃分離集塵ユニット１１を清掃する必要が生じる。
【００７６】
図７は、本発明の第２実施形態に係る電気掃除機の掃除機本体に形成された接続管の構成を示した部分的な縦断面図であり、蓋体が開いた状態を説明する図である。
【００７７】
図７に示すように、蓋体１８Ａを上方に揺動させると塵埃分離集塵ユニット室１２が開かれる。そうすると、摺動管部２７Ａは、蓋体１８Ａの前縁部に形成された摺動管部押圧部１８ｂによってテーパ部２７ｄの傾斜面２７ｃを介して掃除機本体２の後方へ向かう拘束力を失う。また、摺動管部押圧部１８ｂに形成された凸部１８ｃの前面１８ｄは、摺動管部２７Ａに形成された突起部２７ｅの後面２７ｆを掃除機本体２の前方へ向かって押圧し、摺動管部２７Ａは掃除機本体２の前方側へ摺動させられる。すなわち、接続管組立１６Ａは縮められて短くなる。
【００７８】
摺動管部２７Ａが摺動させられて塵埃分離集塵ユニット１１から離れると、摺動管部２７の開口２７ａに設けられた封止部材２８は、塵埃分離集塵ユニット１１に形成された吸込接続管１４の前縁部１４ａから離れ、摺動管部２７Ａの後方側開口と塵埃分離集塵ユニット１１に形成された吸込接続管１４の前縁部１４ａとの間には隙間が形成される。
【００７９】
塵埃分離集塵ユニット室１２に収容された塵埃分離集塵ユニット１１は、吸込接続管１４の前縁部１４ａから摺動管部２７Ａによって印加されていた拘束力を失い、塵埃分離集塵ユニット室１２内において前後方向に移動可能な隙間（空間）が確保されることとなり、容易に取り外しできる。
【００８０】
次に、塵埃分離集塵ユニット室１２から取り外した塵埃分離集塵ユニット１１を清掃する。
【００８１】
本実施形態における電気掃除機１Ａによれば、塵埃分離集塵ユニット１１に塵埃が溜められて電気掃除機１Ａの吸込性能が低下し、塵埃分離集塵ユニット室１２から塵埃分離集塵ユニット１１を取り出して、集塵室部２３やフィルタ体に溜められた塵埃を廃棄する際に、従来の電気掃除機４０のように、塵埃分離集塵ユニット１１の吸込接続管１４の前縁部１４ａと、掃除機本体２の接続管組立１６Ａの開口１３ａとの間に挟持される封止部材１５に相当する封止部材２８が蓋体１８Ａを開く動作によって吸込接続管１４の前縁部１４ａから離されるため、塵埃分離集塵ユニット１１を取り外しにくくなったり、取り外しに大きな力を必要としない。
【００８２】
本実施形態における電気掃除機１Ａによれば、塵埃分離集塵ユニット室１２から塵埃分離集塵ユニット１１を容易に取り出すことが可能であり、かつ、掃除機本体２に形成された接続管組立１６Ａに塵埃分離集塵ユニット１１を確実に連通できる。
【図面の簡単な説明】
【００８３】
【図１】本発明の第１実施形態に係る電気掃除機の外観を示した斜視図。
【図２】本発明の第１実施形態に係る電気掃除機の蓋体と塵埃分離集塵ユニットとを外した掃除機本体の外観を示した斜視図。
【図３】本発明の第１実施形態に係る電気掃除機の掃除機本体に収容される塵埃分離集塵ユニットの外観を示した斜視図。
【図４】本発明の第１実施形態に係る電気掃除機の掃除機本体に形成された接続管の構成を示した部分的な縦断面図。
【図５】本発明の第１実施形態に係る電気掃除機の掃除機本体に形成された接続管の構成を示した部分的な縦断面図であり、蓋体が開いた状態を説明する図。
【図６】本発明の第２実施形態に係る電気掃除機の掃除機本体に形成された接続管の構成を示した部分的な縦断面図。
【図７】本発明の第２実施形態に係る電気掃除機の掃除機本体に形成された接続管の構成を示した部分的な縦断面図であり、蓋体が開いた状態を説明する図。
【図８】従来の電気掃除機の塵埃分離集塵ユニットの吸込接続管と掃除機本体の接続管との接続部に形成された開口の一例を示す部分的な縦断面図。
【符号の説明】
【００８４】
１  電気掃除機
２  掃除機本体
２ａ  接続口
３  集塵ホース
４  手元操作管
４ａ  操作部
４ｂ  切スイッチ
４ｃ  強弱スイッチ
５  延長管
６  吸込口体
１０  本体ケース
１１  塵埃分離集塵ユニット
１１ａ  後面開口
１２  塵埃分離集塵ユニット室
１２ａ  上部開口
１３  接続管
１３ａ  開口
１４  吸込接続管
１４ａ  前縁部
１５、２８、３０  封止部材
１６、１６Ａ  接続管組立
１８、１８Ａ  蓋体
１８ａ、１８ｂ  摺動管部押圧部
１８ｂ  摺動管部押圧部
１８ｃ  凸部
１８ｄ  前面
１９  後輪
２０  接続風路部
２０ａ  開口
２３  集塵室部
２６  集塵ホース接続管部
２７、２７Ａ  摺動管部
２７ａ  開口
２７ｂ  壁面
２７ｃ  傾斜面
２７ｄ  テーパ部
２７ｅ  突起部
２７ｆ  後面
３１  摺動管部付勢部
３１ａ  前面
３２  弾性体
４０  従来の電気掃除機
【図１】
2009125210.tif 000003
【図２】
2009125210.tif 000004
【図３】
2009125210.tif 000005
【図４】
2009125210.tif 000006
【図５】
2009125210.tif 000007
【図６】
2009125210.tif 000008
【図７】
2009125210.tif 000009
【図８】
2009125210.tif 000010